(57)【要約】【課題】  カチューシャを頭に長時間装着し取り外した後も、髪にカチューシャの締め付けたバンド跡を残さないようにカチューシャを髪から浮かして装着する方法を課題とした。【解決手段】  カチューシャが強く髪を締め付けないように、カチューシャ本体の内側に支えの突起を櫛状に多数設け、頭の頭皮とカチューシャ本体の間に髪の納まる間隙をつくることにより、髪に掛かる圧を軽減して、髪へのバンド跡の残留と、髪形の崩れを防止する。【選択図】  図１
2005319263.tif 000002
【特許請求の範囲】
【請求項１】
ヘアーバンド  カチューシャ本体の内側に直角に軟質のスティックを櫛目状に埋め込んで成るヘアーバンド  カチューシャで、頭に装着時ヘアーバンド  カチューシャと頭の頭皮の間に、この軟質スティックによって支えられた空隙が頭髪に強い圧力が掛かるのを防ぎ、頭髪を浮いた状態で保持できることを特徴とするヘアーバンドカチューシャ装身具。
【請求項２】
ヘアーバンド  カチューシャ本体の内側に直角に成るように帯び状の軟質材で  ひだをつくり接着して成るヘアーバンド  カチューシャで、装着時ヘアーバンド  カチューシャと頭の頭皮の間に、この軟質材の  ひだによって支えられた空隙が頭髪に強い圧力が掛かるのを防ぎ、頭髪を浮いた状態で保持できることを特徴とするヘアーバンド  カチューシャ装身具。
【請求項３】
ヘアーバンド  カチューシャ本体の内側に直角に成るように平たい半月状の突起を櫛目状に本体と同時成型して成るヘアーバンド  カチューシャで、頭に装着時ヘアーバンド  カチューシャと頭の頭皮の間に、この半月状突起の櫛目の支えによってできる空隙が頭髪に強い圧力が掛かるのを防ぎ、頭髪を浮いた状態で保持できることを特徴とするヘアーバンド  カチューシャ装身具。
【発明の詳細な説明】
【技術分野】
【０００１】  本発明は、ヘアーバンド  カチューシャに頭の頭皮への支えを設けて、髪から浮かしてヘアーバンドを装着できる装身具カチューシャに関するものである。
以下、カチューシャと表示する。
【背景技術】
【０００２】  従来、カチューシャは硬質な材質のスプリング性を利用して、髪の上から直接頭部を挟み込む様にして装着し、髪の乱れを防いだり美的に髪を束ね安定させる装身具として用いられている。
【発明の開示】
【発明が解決しようとする課題】
【０００３】  カチューシャは風などによる髪の乱れをしっかり押えて髪形を維持し崩れるのを防ぐことであるが、カチューシャを頭から取り外した後には髪にカチューシャのバンド跡が残ったり、髪形を崩して居たりする欠点があった。本考案ではカチューシャを外した後も髪にバンド跡を残さず髪形を維持することを課題とした。
【課題を解決するための手段】
【０００４】  カチューシャ本体の内側に、直角に突起する支えのスティック又はそれに類する突起を櫛目状に多数設け、カチューシャを頭に装着したときカチューシャ本体と頭皮の間に、押される事なく頭髪が納まる間隙を確保し、カチューシャ自体も櫛目状に出る突起の先端部で、頭部に固定できる。
【発明の効果】
【０００５】  カチューシャに櫛目状に加工取り付ける支えのスティック又はそれに類する突起により、カチューシャ装着時、カチューシャと頭皮の間に髪の入る間隙が確保されて髪が潰される事なく髪形を保持でき、カチューシャ取り外し後もバンド跡が残らず髪形も乱れずにふくよかな状態で保持出来る。
【発明を実施するための最良の形態】
【０００６】以下、本発明の実施の形態について説明する。
（イ）カチューシャ（１）の内側に直角に突起させる支えのスティック（２）のサイズは試用の結果、径は０．３〜０．５ｃｍ，長さは０．７〜１．８ｃｍとし、カチューシャ本体に孔をあけ圧入植え込み固定して取り付けるが、その数は、装着時に頭皮へのカチューシャの締め付ける圧力の分散と、カチューシャ自体の頭部での装着安定性から、２５本〜６０本とする。尚、この支えスティックの数の差は、カチューシャ自体の大小とデザインに対応してその数を設定するためである。
（ロ）上項（イ）に提示した支持スティックの類似機能としてカチューシャの内側に直角に突起させる支えをひだに折った軟質の帯状材でつくり、カチューシャの内側に接着して成る形態である。この支えのひだ（３）のひだ折りの高さは、前項（イ）の支えスティックと同サイズとする。
（ハ）同じく上項（イ）に提示した支持スティックの類似機能としてカチューシャの内側に直角に突起させる支えを、平たい半月体のかたちで櫛状にカチューシャ本体と同時成型して成るカチューシャの形態で、櫛状に成型される支えの半月体（４）の高さは前々項（イ）の支えスティックと同サイズとする。
【実施例１】
【０００７】  図１は斜視図で、カチューシャ本体内側全面にスティック状突起を設け、髪から浮かして頭に装着できるフローティング  カチューシャである。
図２は本発明のフローテイング  カチューシャを頭に裝着した時の頭とカチューシャ間にできる髪の納まる間隙をしめす断面図である。
【実施例２】
【０００８】  図３は斜視図で、カチューシャ本体内側にスティック状突起を部分的に分けて設けたフローティング  カチューシャである。本図では、装着上の安定性からスティック状突起を３か所に分けて設け、３点支持の安定原理に従っている。
【実施例３】
【０００９】  図４は斜視図で、カチューシャ本体内側に直角に突起させる支えのひだを接着してなるフローティング  カチューシャである。この場合のひだはカチューシャ本体を頭皮より浮かし、髪を納める間隙をつくる役目をする。
【実施例４】
【００１０】  図５は斜視図で、カチューシャ本体の内側に直角に突起させる支えを、平たい半月体のかたちで櫛状にカチューシャ本体と同時成型して成るフローティング  カチューシャである。この本体と同時成型される平たい半月体は、カチューシャ本体を頭皮より離し、髪の納まる間隙をつくる役目をする。
【産業上の利用可能性】
【００１１】  本発明のフローティング  カチューシャは、髪に圧力を掛けずに浮かした（フローティングした）状態で頭部に装着できるので、頭部より取り外した後も髪にカチューシャのバンド跡を残す事なく髪形の崩れもないので、洗顔時や化粧メイク時に一時髪を固定するのに、髪形を崩さないので安心して多用できる。また、髪形を崩さないフローティング  カチューシャは、食品売り場、食堂、レストラン、等の髪の乱れや抜毛を嫌う場所で店員が装着すると、髪の抜け落ち防止と共にファッション性も有る。
【図面の簡単な説明】
【００１２】
【図１】  本体内側全面に支えの突起を設けた斜視図
【図２】  頭に装着時、本体と頭の頭皮間にできる髪の納まる間隙の断面図
【図３】  本体内側に分割して支えの突起を設けた斜視図
【図４】  本体内側に帯び状材によるひだを接着して支えの突起とした斜視図
【図５】  本体内側に平たい半月体の支え突起を本体と同時成型した斜視図
【符号の説明】
【００１３】        １  カチューシャ本体
２  支えスティック
３  帯び状材でつくる支えのひだ
４  本体と同時成型される支えの平たい半月体
【図１】
2005319263.tif 000003
【図２】
2005319263.tif 000004
【図３】
2005319263.tif 000005
【図４】
2005319263.tif 000006
【図５】
2005319263.tif 000007